(57)【要約】【課題】ＣＣＤカメラ付き携帯電話器で被写体を撮影させながら、表示器の映像を拡大可能にできるＣＣＤカメラ付き携帯電話器用ホルダーを得る。【解決手段】携帯電話１２（携帯電話画面１３の側部）を携帯電話保持部１に固着可能にされ、カメラ１０は、携帯電話１２の携帯電話画面１３に対して所望の位置関係になるようにアーチ状の連結棒２を介してカメラ保持部３に取付ける。この時、カメラ１０は、カメラ１０の軸が携帯電話画面１３の画面中心鉛直線１５上に重なると共に、カメラ１０の焦点が携帯電話画面１３に合うような位置で携帯電話保持部１に保持される。【選択図】      図１
2004235756.tif 000002
【特許請求の範囲】
【請求項１】
携帯電話器の表示部を撮影可能にするためのＣＣＤカメラ付き携帯電話器用ホルダーであって、
前記携帯電話器を横から挟持可能に形成された携帯電話保持部と、
前記携帯電話保持部に一端が連結され、他端に前記ＣＣＤカメラを取り付けたときに前記携帯電話器の表示部を正面から撮影可能にするよう形状にされており、前記ＣＣＤカメラの伝送ケーブルをガイド可能とする連結棒と、
前記連結棒の他端に連結され、前記ＣＣＤカメラを取り付けて、前記携帯電話器の表示部を撮影させるためのカメラ保持部と、
前記ＣＣＤカメラを保持すると共に、前記カメラ保持部に連結可能にされたカメラ保持部と
を有することを特徴とするＣＣＤカメラ付き携帯電話器用ホルダー。
【請求項２】
前記ＣＣＤカメラは、前記携帯電話保持部に保持される携帯電話の画面中心の鉛直線上において、画面全域がカメラ視野に捕らえられる位置で固着される事を特徴とする請求項１に記載のＣＣＤカメラ付き携帯電話器用ホルダー。
【請求項３】
前記カメラ保持部には、カメラ位置調整部が設置され、前記カメラを前記携帯電話器の表示部に対して遠近方向に位置調整可能に固定することを特徴とする請求項１又は２に記載のＣＣＤカメラ付き携帯電話器用ホルダー。
【請求項４】
前記携帯電話保持部は凹型形状で、凹型部に前記携帯電話を挟込むと共に、凹型部両側の携帯電話固着部により前記携帯電話が固着されることを特徴とする請求項１乃至３に記載のＣＣＤカメラ付き携帯電話器用ホルダー。
【発明の詳細な説明】
【０００１】
【発明の属する技術分野】
本発明は、携帯電話器を保持させながら携帯電話器の表示部をＣＣＤカメラで撮影させることができるＣＣＤカメラ付き携帯電話器用ホルダーに関する。
【０００２】
【従来の技術】
一般にカメラ付き携帯電話は、被写体にＣＣＤカメラを向けて撮像して表示部に、その被写体の映像を表示する。そして、カメラアングル、写り具合を確認して、必要に応じて相手に送信する。
【０００３】
また、カメラ付き携帯電話で撮影した被写体の映像をコンピュータに送信して表示させる場合もあった。
【０００４】
尚、従来カメラを利用した装置や方法に関しては、例えば特許文献１或いは２の公報にその内容が開示されている。
【０００５】
【特許文献１】
特開平１１−２４０４２２
【０００６】
【特許文献２】
特開平０９−５０４４９４
【０００７】
特許文献１は、自動車の防犯のためにカメラを使用して、室内のモニターに映像を受像するシステムである。
【０００８】
特許文献２は自動車用バックミラーシステムであって、カメラを自動車の両サイドに収納し、自動車の室内にカメラが捕らえた映像を受像するモニターを備えたシステムである。いずれの文献も、カメラの取付け場所が限定される場合や人目に触れないように覆って設置したりする目的で設置されている。
【０００９】
そして、被写体として実物そのものを撮影する目的で使用されている。
【００１０】
【発明が解決しようとする課題】
しかしながら、携帯電話で用いられるＣＣＤカメラの画素数は３５万画素程度で、携帯電話の表示部の画素数は１５０万画素程度であり、それぞれは画素数があまり多くはない。
【００１１】
このため、映像をコンピュータに送信し、コンピュータ側で拡大表示させた場合は画像が劣化して表示されることになるという課題があった。
【００１２】
一方、プロジェクターに携帯電話の表示部の映像を送出することも考えられる。
【００１３】
しかしながら、携帯電話器で用いられるＣＣＤの画素数はあまり多くはないので、プロジェクターで撮影した画像をスクリーンに投影した場合は、投影画像が粗くなるという課題があった。
【００１４】
つまり、送られてきた携帯電話の画面表示が小さい為、自分自身も見づらいし、大勢の人の前でその内容を説明したり、一緒に楽しんだりする事が出来ないので不便である。
【００１５】
本発明は以上の課題を解決するためになされたもので、ＣＣＤカメラ付き携帯電話器で被写体を撮影させながら、表示器の映像を拡大可能にできるＣＣＤカメラ付き携帯電話器用ホルダーを得ることを目的とする。
【００１６】
【課題を解決するための手段】
本発明は、携帯電話器の表示部の画素数より、画素数が多いＣＣＤカメラで携帯電話器の表示部を撮影可能にするためのＣＣＤカメラ付き携帯電話器用ホルダーである。
【００１７】
前記携帯電話器の横幅を有して、前記携帯電話器を横から挟持可能に形成された携帯電話保持部と、前記携帯電話保持部に一端が連結され、前記ＣＣＤカメラを他端に取り付けたときに前記携帯電話器の表示部を正面から撮影可能にするための形状にされ、かつ前記ＣＣＤカメラの伝送ケーブルをガイドする連結棒と、前記連結棒の他端に連結され、前記ＣＣＤカメラを取り付けて、前記携帯電話器の表示部を撮影させるためのカメラ保持部と、前記ＣＣＤカメラを包持つと共に、前記カメラ保持部に連結可能にされたカメラ部包持部とを備えたことを要旨とする。
【００１８】
【発明の実施の形態】
本実施の形態のＣＣＤカメラ付き携帯電話器用ホルダーは、携帯電話器を保持すると共に、表示部の画像をＣＣＤカメラで撮影し、かつ片手で保持可能としたものである。
【００１９】
（本発明の第１の実施形態）
図１は携帯電話器を保持したＣＣＤカメラ付き携帯電話器用ホルダーの斜視図である。図２は携帯電話器を保持したＣＣＤカメラ付き携帯電話器用ホルダーの側面図である。図１に示すように、携帯電話１２（携帯電話画面１３の側部）を携帯電話保持部１に固着可能にされ、ＣＣＤカメラ（おおよそ画素数１５０万画素以上：以下カメラ１０という）は、携帯電話１２の携帯電話画面１３に対して所望の位置関係になるようにアーチ状の連結棒２を介してカメラ保持部３に取付けられている。
【００２０】
また、カメラ用ケーブル１１は携帯電話保持部１を経由して図示しないコントロールボックスに接続される。
【００２１】
この時、カメラ１０は、カメラ１０の軸が携帯電話画面１３の画面中心鉛直線１５上に重なると共に、カメラ１０の焦点が携帯電話画面１３に合うような位置で携帯電話保持部１に保持されている。
【００２２】
従って、携帯電話１２の使用者が携帯電話保持部１を片手に保持した状態で、携帯電話画面１３の内容をピント良好に外部モニターに拡大表示することが出来る。
【００２３】
図３を用いて更に詳しく説明する。図３はＣＣＤカメラ付き携帯電話器用ホルダーの斜視図である。
【００２４】
携帯電話保持部１は図３に示すように、凹型形状をしており、凹部の内幅ａは携帯電話の横幅と概略同じ、凹部の長さｂは携帯電話の表示画面の縦長さに概略同じになるように形成されている。又、携帯電話保持部１の肉厚は、出来るだけ重さを軽減する様に、図３に示すように凹部の外側角は削られている。これにより、手で持ったときに長時間保持することが出来て利便性が向上する。
【００２５】
また、携帯電話保持部１の上部両側面１ａ，１ｂには螺子式の携帯電話固着部７が形成されており、１対の螺子を互いに締め込むことにより、携帯電話固着部７の凹部内面に突出した螺子端の力によって携帯電話１２が携帯電話固着部７に固着保持されることを可能としている。
【００２６】
さらに、携帯電話保持部１とカメラ保持部３はアーチ状の連結棒２によって連結されるが、このとき連結棒２の端部は携帯電話保持部１に固着され、他端部はカメラ１０の取り外しを考慮に入れて、取付部品６によって取り外し可能にカメラ保持部３に固着されている。
【００２７】
次に、図４を用いて更に詳しく説明する。図４は図３のＡ−Ａの断面図である。図４に示すように、取付部品６はオス螺子６Ａとメス螺子６Ｂの１対から成り、メス螺子６Ｂの螺子部から離れた頂端部には連結棒２の外径と略等しい円形穴があいている。オス螺子６Ａはカメラ保持部３に熔着されている。
【００２８】
一方、連結棒２のカメラ保持部３側の先端は連結棒２の断面形状より一回り大きい鍔部２Ａが設けられている。従って、予め連結棒２に挿入されたメス螺子６Ｂをオス螺子６Ａに螺合することにより、メス螺子６Ｂはオス螺子６Ａに固着すると共に、連結棒２の先端の鍔部２Ａとも固着する。従って、カメラ保持部３は連結棒２に固着する。
【００２９】
次に、カメラ１０はカメラ支持具４によってカメラ保持部３に固着される。
【００３０】
カメラ保持部３は断面が略矩形で、水平方向即ち左右の横壁を貫通してガイド溝５Ａが設けられ、さらにそのガイド溝５Ａはカメラ保持部３の底壁を貫通している。即ち、ガイド溝５Ａはカメラ保持部３の断面をＴ字形に刳り貫いた形状である。更に、このＴ字形のガイド溝５Ａはカメラ保持部３の長手方向に所望の長さに加工されている。
【００３１】
この場合、ガイド溝５Ａの長さはカメラの焦点を調整できる程度の長さであり、カメラ保持部３の両端部を貫通しない位置で止まっている。
【００３２】
このガイド溝５Ａの断面形状に沿って、Ｔ字型の丸棒が挿入され、その先端にカメラ支持具４が固着されている。さらに、カメラ支持具４はカメラ１０を支持するために、カメラ支持具４の一部分が開閉出来るような締付具４Ａを備えており、カメラ１０（ＣＣＤカメラ）を格納する際に、蝶ボルト４Ｂを締めることによりカメラ１０を固着できる構造になっている。
【００３３】
そして、所望の位置にカメラ１０を合わせた位置でカメラ位置調整部５のナット５Ｂを締めて、カメラ１０の位置を固定する。
【００３４】
さらに、図５を用いて説明する。図５はアーチ状の連結棒２とカメラ用ケーブル１１の関係を説明する説明図である。
【００３５】
図５に示すように、携帯電話保持部１の中心線をＹ―Ｙ軸とする。連結棒２は携帯電話保持部１の上辺中心から左側に連結棒２の外径の１／２距離の点Ｙ３に溶着する。尚、後々のメンテナンスの利便を考慮して、連結棒２は、例えば螺子で脱着可能に固着しても良い。
【００３６】
さらに、携帯電話保持部１の下辺とＹ−Ｙ軸が交わる点、即ち、携帯電話保持部１の下辺中心点Ｙ１から、上辺の中心から右方向に、略カメラ用ケーブル１１の外径の１／２距離の点Ｙ２まで、カメラ用ケーブル１１の導通孔１４が貫通している。
【００３７】
そして、カメラ用ケーブル１１は導通孔１４に差し込まれて携帯電話保持部１に保持される。
【００３８】
この場合、導通孔１４の内径はカメラ用ケーブル１１の外形と略同一とするので、導通孔１４とカメラケーブル１１間の静摩擦力が十分確保できるので、カメラケーブル１１の為の固着方法を別途備えなくてもカメラケーブル１１を携帯電話保持部１に保持できる。
【００３９】
尚、連結棒２とカメラケーブル１１の取付け位置は、必ずしも図５に示す位置関係である必要はなく、例えば、連結棒２をＹ―Ｙ軸に合致するように取付け、カメラケーブル１１をＹ―Ｙ軸から離れて取付けても良い。導通孔１４はＹ―Ｙ軸に平行に貫通しても良い。
【００４０】
この場合、連結棒２とカメラ１０の軸が平行になるので、カメラ１０の取付け調整がさらにやり易くなる。
【００４１】
尚、携帯電話保持部１、連結棒２、カメラ取付部３、カメラ支持具４、カメラ位置調整部５、取付部品６、携帯電話固着部７の材質は、熱可塑性樹脂による成型品や軽金属製で製作されるが、所望の強度が得られるならば適宜な材料を採用してもよい。
【００４２】
連結棒２は強度と共に、カメラ１０による撓みが実質的に生じない材料が好ましい。
【００４３】
また、携帯電話固着部７は必ずしも１対でなくても良く、携帯電話１２を携帯電話保持部１の凹部内壁に受け持たせて、１個の螺子で押し込み固着することも可能である。
【００４４】
このように、本発明の第１の実施形態によれば、軽量でコンパクトな装置なので、携帯電話を操作しながら、片手で簡単に、携帯電話の画面を外部モニターに拡大表示が出来る。自分自身或いは大勢の人の前でその内容を説明したり、一緒に楽しんだりする事ができる。
【００４５】
また、携帯電話が携帯電話保持部にしっかりと固着出来るので、カメラで携帯画面を写したときに焦点がぶれることがないので、確実簡単にその場で携帯電話の画面を外部モニターで拡大できる。
【００４６】
さらに、また軽量でコンパクトな装置にありがちな、装置の緩みが発生しないので、携帯電話を操作しながら、同時に片手で簡単に、携帯電話の画面を外部モニターに拡大表示が出来る。
【００４７】
（本発明の第２の実施形態）
図６、図７を用いて説明する。図６は実施の形態２の携帯電話器を保持したＣＣＤカメラ付き携帯電話器用ホルダーの斜視図である。図７は実施の形態２のＣＣＤカメラ付き携帯電話器用ホルダーの斜視図である。
【００４８】
図６に示すように、携帯電話３１を保持する為の携帯電話保持部２４には携帯電話保持板２１Ａと携帯電話保持板２１Ｂが備えられており、携帯電話保持板２１Ａは固定である。
【００４９】
携帯電話保持板２１Ｂは締め付けノブ２２を回転させることにより螺子シャフト２３の回転に連動して携帯電話保持板２１Ａ方向に移動する。
【００５０】
螺子シャフト２３には螺子が切ってあるが携帯電話保持板２１Ｂの移動を微小にする為にピッチの小さい細目螺子にするほうが望ましい。螺子シャフト２３が細目螺子であると、締め付けノブ２２に同等の締め付けトルクを掛けた場合でも、携帯電話保持板２１Ｂと携帯電話保持板２１Ａによって携帯電話３１を挟持する力が増大する効果が生じる為である。
【００５１】
図６の場合、携帯電話保持板２１Ａは固定で、携帯電話保持板２１Ｂの移動により携帯電話３１を保持する構造になっているが、勿論携帯電話保持板２１Ａと携帯電話保持板２１Ｂの両方を締め付けノブ２２の回転に連動して同時に開閉させても良い。
【００５２】
この場合、携帯電話保持板２１Ａと携帯電話保持板２１Ｂは同時に開閉動作をする必要があるために、螺子シャフト２３は長さ方向の中心から左右にそれぞれ右螺子と左螺子に加工する必要がある。尚、携帯電話保持板２１Ａと携帯電話保持板２１Ｂの対向する内側面にはそれぞれ携帯電話３１を確実に挟持するために、高い摩擦係数を持つ、図示しない例えばゴムや樹脂の材料が設けられる。
【００５３】
カメラ３０はユニバーサルホルダー２９を介してアーム２６Ｂに固着されるが、ユニバーサルホルダー２９は自在継ぎ手構造である為に、携帯電話３１に対するカメラ３０の軸の向きを自由に調整できる。
【００５４】
そして、カメラ３０の軸を携帯電話３１の携帯電話画面３２の中央に合わせた状態で固定用ノブ２８を回転させてユニバーサルホルダー２９を固定すると同時に、カメラ３０の位置が固定できる。
【００５５】
このように、ユニバーサルホルダー２９を採用すると、カメラ３０の軸を適切な方向に簡単かつ自由に設定できる。
【００５６】
更に、カメラ３０は携帯電話用保持部２４に対して、アーム２６Ａとアーム２６Ｂの２分割アームで連結されている為に、アーム２６Ａとアーム２６Ｂのピンジョイント部３３でアーム２６Ａとアーム２６Ｂの角度を変えることにより、カメラ３０の携帯電話用保持部２４に対する概略の初期位置設定が容易に出来る。この時、ピンジョイント部３３は固定用ノブ２７を回転させて固定する。
【００５７】
更に、アーム２６Ａは携帯電話用保持部２４と固定用ノブ２５に拠って、固着されている。この場合アーム２６Ａは携帯電話用保持部２４に対してスライド調整可能の構造になっている為に、カメラ３０を携帯電話３１に対して上下方向の概略の位置調整を実施した後、固定用ノブ２５を回転させてアーム２６Ａを携帯電話保持部２４に固着する。
【００５８】
尚、カメラ用ケーブルは図示しない方法でアーム２６Ａ、２６Ｂに沿わせて配置する。
【００５９】
携帯電話保持板２１Ａ，２１Ｂ、アーム２６Ａ，２６Ｂ、ユニバーサルホルダー２９、携帯電話保持部２４等の材質は、熱可塑性樹脂による成型品や軽金属製を使用するが、撓みや変形が実質的に生じない程度の強度が保持できれば適宜な材料を採用してもよい。
【００６０】
従って、本発明の第２の実施形態によれば、軽量でコンパクトな装置なので、携帯電話を操作しながら、片手で簡単に、携帯電話の画面を外部モニターに拡大表示が出来る。自分自身或いは大勢の人の前でその内容を説明したり、一緒に楽しんだりする事ができる。
【００６１】
また、携帯電話を携帯電話保持板で固着するので、携帯電話が携帯電話保持部にしっかりと固着出来るので、カメラで携帯画面を写したときに焦点がぶれることがないので、確実簡単にその場で携帯電話の画面を外部モニターで拡大できる。
【００６２】
さらに、また軽量でコンパクトな装置にありがちな、装置の緩みが発生しないので、携帯電話を操作しながら、同時に片手で簡単に、携帯電話の画面を外部モニターに拡大表示が出来る。
【００６３】
ユニバーサルホルダーを採用したので、カメラの軸を適切な方向に簡単に一動作で自由に設定できる。
【００６４】
カメラが２分割アームで携帯電話保持部に連結された為に、カメラ位置を必要に応じて自由に設定できる。
【００６５】
（本発明第３の実施形態）
図８は実施の形態３のＣＣＤカメラ付き携帯電話器用ホルダーの正面図である。なお、図１，２，３，５と共通する部分については本発明の第１の実施形態での説明と同様なので再掲しない。
【００６６】
携帯電話保持部１には携帯電話１２を保持する為のワンウェイストッパー７Ａが１対設けられている。ワンウェイストッパー７Ａは弾力性且つ摩擦力のある部材で携帯電話保持部１にピン保持されており、携帯電話１２の携帯電話表示部１３の側面に対応する部分は高い摩擦力を得る為に波状の加工がしてある。
【００６７】
携帯電話１２を取付ける場合には、携帯電話保持部１の下から上方向に携帯電話１２を挿入すると、ワンウェイストッパー７Ａはピン保持されているので、ワンウェイストッパー７Ａは上方向に跳ね上げられるので、携帯電話表示部１３は容易に所定の位置まで挿入できる。
【００６８】
その後、携帯電話１２を携帯電話保持部１から少し引き下げる。このとき、ワンウェイストッパー７Ａのピン支持部を中心に逆回転モーメントが、弾力性且つ摩擦力を持つ部材であるワンウェイストッパー７Ａの波状加工部に有効に伝わる為に、ワンウェイストッパー７Ａの波状加工部が携帯電話表示部１３の側面を強固に挟持できる。
【００６９】
尚、ワンウェイストッパー７Ａが十分な摩擦力を備えた材料の場合には波状加工部は必ずしも必要ではない。
【００７０】
携帯電話１２を携帯電話保持部１から取り外す場合には、携帯電話１２を携帯電話保持部１に対して相対的に上方に移動すると、ワンウェイストッパー７Ａはピン支持部を中心にして回転するので、挟持する力はなくなり携帯電話１２はワンウェイストッパー７Ａから容易に離脱できる。
【００７１】
図に示すように、カメラ１０はカメラ支持具４Ｃと取付部品６を介して連結棒２に固着される。
【００７２】
図９は実施の形態３の図８のＢ−Ｂ断面図である。図９に示すように、カメラ支持具４Ｃは開ループ状に加工されており、カメラ１０の胴部を密着して包み込むとともに、カメラ支持具４Ｃの両端部はお互いに所定の間隙を保った状態で、その外周にオステーパー螺子４Ｄが施工されている。一方連結棒２の先端は連結棒２の外径より大きい外径を持った鍔部２Ａになっている。ここで、取付部品６はメステーパー螺子６Ｃ付のソケット構造をしている。
【００７３】
従って、取付部品６をカメラ支持具４Ｃのオステーパー螺子４Ｄに螺合させるとオステーパー螺子４Ｄの間隙が狭まりカメラ１０の胴部を締め付けてカメラ１０を固着すると共に、取付部品６の螺子部と反対側が連結棒２の鍔部２Ａに食い込むことにより取付部品６は連結棒２に固着する。
【００７４】
尚、連結棒２は所定の剛性を持っているために、カメラ３０及びその付属の重量ではほとんど撓みが生じないので、カメラ３０の位置調整装置が割愛されても、カメラ３０は携帯電話保持部１（携帯電話画面１３）に対して実質的に許容誤差範囲内に収まるように取付けることが出来る。
【００７５】
尚、各構成部材の材質は、熱可塑性樹脂による成型品や軽金属製を使用するが、撓みや変形が実質的に生じない程度の強度が保持できれば適宜な材料を採用してもよい。
【００７６】
このように、本発明の第３の実施形態によれば、不必要な部品をすべて取り払い、軽量でコンパクトな必要最小限の装置になるので、携帯電話を操作しながら、片手で簡単に、携帯電話の画面を外部モニターに拡大表示が出来る。
【００７７】
特に、携帯電話１２を携帯電話保持部１にワンアクションで瞬時に装着できるので、緊急必要時にイライラしなくて済む。
【００７８】
自分自身或いは大勢の人の前でその内容を説明したり、一緒に楽しんだりする事ができる。
簡単且つ自動的に携帯電話の画面をカメラの焦点に合わせる事が出来る。
さらに、使用部品点数を減少させたので、軽量でコンパクトな装置に有りがちな装置の緩みが発生しないので、携帯電話を操作しながら、同時に片手で簡単に、携帯電話の画面を外部モニターに拡大表示が出来る。
【００７９】
使用部品が少ないので、製作費が安価である。
【００８０】
【発明の効果】
以上のように本発明によれば、携帯電話器の表示部を保持部で挟持すると、ＣＣＤカメラが携帯電話器の表示部を撮影可能になる。このため、携帯電話の画素数が少なくとも、画素数が多いＣＣＤカメラ付き携帯電話器用ホルダーで表示部を撮影できるので、拡大表示させても映像が劣化することがない。
【００８１】
特に、プロジェクターに携帯電話の表示部の映像を送出した場合には、有効である。
【００８２】
また、軽量でコンパクトな装置なので、片手で簡単に携帯電話を操作しながら、携帯電話の画面を外部モニターに拡大表示が出来る。従って、自分自身或いは大勢の人の前でその内容を説明したり、一緒に楽しんだりする事ができる。
更に、簡単にその場で携帯電話の画面をカメラの焦点に合わせる事が出来る。
【００８３】
携帯電話が携帯電話保持部にしっかりと固着出来るので、カメラで携帯画面を写したときに焦点がぶれることがないので、確実簡単にその場で携帯電話の画面を外部モニターで拡大表示させることができる。
【００８４】
携帯電話が携帯電話保持部にしっかりと固着出来るので、カメラで携帯画面を写したときに焦点がずれることがない。
【図面の簡単な説明】
【図１】第１の実施形態の携帯電話器を保持したＣＣＤカメラ付き携帯電話器用ホルダーの斜視図である。
【図２】携帯電話器を保持したＣＣＤカメラ付き携帯電話器用ホルダーの側面図である。
【図３】ＣＣＤカメラ付き携帯電話器用ホルダーの斜視図である。
【図４】図３のＡ−Ａの断面図である。
【図５】アーチ状の連結棒２とカメラ用ケーブル１１の関係を説明する説明図である。
【図６】実施の形態２の携帯電話器を保持したＣＣＤカメラ付き携帯電話器用ホルダーの斜視図である。
【図７】実施の形態２のＣＣＤカメラ付き携帯電話器用ホルダーの斜視図である。
【図８】実施の形態３のＣＣＤカメラ付き携帯電話器用ホルダーの正面図である。
【図９】実施の形態３の図８のＢ−Ｂ断面図である。
【符号の説明】
１  携帯電話保持部
２  連結棒
３  カメラ取付部
４  カメラ支持具
５  カメラ位置調整部
６  取付部品
７  携帯電話固着部
１０  カメラ
１１  カメラ用電源ケーブル
１２  携帯電話
１３  携帯電話画面
１４  導通孔
１５  画面中心鉛直線
２Ａ  鍔部
４Ａ  締付具
４Ｂ  締付ボルト
５Ａ  ガイド溝
５Ｂ  ナット
６Ａ  オス螺子
６Ｂ  メス螺子
２１Ａ，２１Ｂ  携帯電話保持板
２２  締め付けノブ
２３  螺子シャフト
２４  携帯電話保持部
２５  固定用ノブ
２６Ａ，２６Ｂ  アーム
２７  固定用ノブ
２８  固定用ノブ
２９  ユニバーサルホルダー
３０  カメラ
３１  携帯電話
３２  携帯電話画面
３３  ピンジョイント部
４Ｃ  カメラ支持具
４Ｄ  オステーパー螺子
６Ｃ  メステーパー螺子
７Ａ  ワンウェイストッパー
【図１】
2004235756.tif 000003
【図２】
2004235756.tif 000004
【図３】
2004235756.tif 000005
【図４】
2004235756.tif 000006
【図５】
2004235756.tif 000007
【図６】
2004235756.tif 000008
【図７】
2004235756.tif 000009
【図８】
2004235756.tif 000010
【図９】
2004235756.tif 000011